(57)【特許請求の範囲】
【請求項１】
架設径間の橋軸方向両側に位置する１対の橋脚上に橋桁柱頭部をそれぞれ構築するとともに、この架設径間に橋桁径間部を架設して、この橋桁径間部と上記１対の橋桁柱頭部との間に橋軸方向のプレストレスを導入し、これを複数の径間に対して順次繰り返すことにより多径間連続橋を架設する橋梁架設方法において、
上記橋桁径間部の構造を、Ｕ形断面を有するプレキャスト桁からなる複数の主桁が橋軸直交方向に所定間隔をおいて配置されるとともに、これら複数の主桁の上面に上床版が構築されてなる、多主桁構造に設定しておき、
上記１対の橋桁柱頭部に上記架設径間を跨ぐ架設用ガーダを設置した後、この架設用ガーダにより、上記架設径間において、上記複数のプレキャスト桁のうちの１本を、該プレキャスト桁における橋軸方向両端面の近傍部位を吊り支持した状態で、上記１対の橋桁柱頭部の高さまで吊り上げて橋軸直交方向の所定位置にセットし、この状態で、このプレキャスト桁と上記１対の橋桁柱頭部との間の隙間に目地コンクリートを打設した後、このプレキャスト桁と上記１対の橋桁柱頭部との間に橋軸方向のプレストレスを導入し、これを繰り返すことにより上記複数のプレキャスト桁の架設を行い、
その後、これら各プレキャスト桁の上端部およびこれら各プレキャスト桁の上端部相互間に複数のプレキャスト板を敷設してから、これら複数のプレキャスト桁およびプレキャスト板の上に床版コンクリートを打設することにより、上記上床版の構築を行う、ことを特徴とする橋梁架設方法。
【請求項２】
上記各橋桁柱頭部の構築を、上記複数のプレキャスト桁の橋軸方向端面の各々と対向すべき位置に、Ｕ形断面を有する複数のプレキャストセグメントを各々設置するとともに、これら複数のプレキャストセグメントに跨るようにして横桁部および床版部を構成する柱頭部コンクリートを打設することにより行う、ことを特徴とする請求項１記載の橋梁架設方法。
【請求項３】
上記架設径間に、上記架設用ガーダを複数基設置する、ことを特徴とする請求項１または２記載の橋梁架設方法。
【発明の詳細な説明】
【技術分野】
【０００１】
本願発明は、多径間連続橋を架設する橋梁架設方法に関するものである。
【背景技術】
【０００２】
従来より、多径間連続橋を架設する橋梁架設方法として、場所打固定支保工工法やスパンバイスパン工法（例えば「特許文献１」参照）が知られている。
【０００３】
場所打固定支保工工法においては、固定支保工を組み立ててその上でコンクリートを打設することにより１径間分の橋桁を架設し、これを複数の径間に対して順次繰り返すことにより多径間連続橋を架設するようになっている。
【０００４】
一方、スパンバイスパン工法においては、図４に示すようにして多径間連続橋を架設するようになっている。
【０００５】
すなわち、橋桁径間部２Ｂを構成する各主桁を、橋軸方向に分割された複数のプレキャストセグメント６で構成し、これら複数のプレキャストセグメント６を予め工場や現場内の製作ヤードで製作しておく。そして、これら複数のプレキャストセグメント６を、架設径間を跨ぐように設置された架設用ガーダ１００で吊り支持した状態で、橋軸方向に互いに隣接するように配置して接合する。その後、これら複数のプレキャストセグメント６を、架設径間の橋軸方向両側に位置する１対の橋脚４上に構築された１対の橋桁柱頭部２Ａの高さまで吊り上げて、両者間に目地コンクリートを打設した後、これら複数のプレキャストセグメント６と１対の橋桁柱頭部２Ａとの間に橋軸方向のプレストレスを導入して一体化することにより、１径間分の橋桁を架設し、これを複数の径間に対して順次繰り返すことにより多径間連続橋を架設するようになっている。
【０００６】
【特許文献１】特開平８−１３４８４５号公報
【発明の開示】
【発明が解決しようとする課題】
【０００７】
上記従来の橋梁架設方法においては、それぞれ次のような問題がある。
【０００８】
すなわち、場所打固定支保工工法においては、すべての作業が現地作業となるので、架設工期が長く掛かってしまう、という問題がある。
【０００９】
一方、スパンバイスパン工法においては、複数のプレキャストセグメント６を、架設用ガーダ１００の架設径間部分における橋軸方向の各位置で吊り支持するようになっているので、この架設用ガーダ１００に生じる曲げモーメントは非常に大きなものとなる。したがって、この曲げモーメントを負担するため、架設用ガーダ１００を十分堅固なものとする必要がある。このため、架設用ガーダ１００が大掛かりなもとなってしまい、架設工費が高くついてしまう、という問題がある。
【００１０】
本願発明は、このような事情に鑑みてなされたものであって、多径間連続橋を架設する橋梁架設方法において、工期短縮および工費低減を図ることができる橋梁架設方法を提供することを目的とするものである。
【課題を解決するための手段】
【００１１】
本願発明は、橋桁径間部の構造を、Ｕ形断面を有するプレキャスト桁を用いた多主桁構造に設定した上で、この橋桁径間部を架設する際、複数のプレキャスト桁の各々を、その橋軸方向両端面の近傍部位において吊り支持した状態で吊り上げるようにすることにより、架設用ガーダの軽量化を可能とし、もって上記目的達成を図るようにしたものである。
【００１２】
すなわち、本願発明に係る橋梁架設方法は、
架設径間の橋軸方向両側に位置する１対の橋脚上に橋桁柱頭部をそれぞれ構築するとともに、この架設径間に橋桁径間部を架設して、この橋桁径間部と上記１対の橋桁柱頭部との間に橋軸方向のプレストレスを導入し、これを複数の径間に対して順次繰り返すことにより多径間連続橋を架設する橋梁架設方法において、
上記橋桁径間部の構造を、Ｕ形断面を有するプレキャスト桁からなる複数の主桁が橋軸直交方向に所定間隔をおいて配置されるとともに、これら複数の主桁の上面に上床版が構築されてなる、多主桁構造に設定しておき、
上記１対の橋桁柱頭部に上記架設径間を跨ぐ架設用ガーダを設置した後、この架設用ガーダにより、上記架設径間において、上記複数のプレキャスト桁のうちの１本を、該プレキャスト桁における橋軸方向両端面の近傍部位を吊り支持した状態で、上記１対の橋桁柱頭部の高さまで吊り上げて橋軸直交方向の所定位置にセットし、この状態で、このプレキャスト桁と上記１対の橋桁柱頭部との間の隙間に目地コンクリートを打設した後、このプレキャスト桁と上記１対の橋桁柱頭部との間に橋軸方向のプレストレスを導入し、これを繰り返すことにより上記複数のプレキャスト桁の架設を行い、
その後、これら各プレキャスト桁の上端部およびこれら各プレキャスト桁の上端部相互間に複数のプレキャスト板を敷設してから、これら複数のプレキャスト桁およびプレキャスト板の上に床版コンクリートを打設することにより、上記上床版の構築を行う、ことを特徴とするものである。
【００１３】
上記「主桁」は、Ｕ形断面を有するプレキャスト桁からなるものであれば、その具体的な構成は特に限定されるものではない。
【００１４】
上記「架設用ガーダ」は、架設径間においてプレキャスト桁を橋桁柱頭部の高さまで吊り上げて橋軸直交方向の所定位置にセットし得るように構成されたものであれば、その具体的な構成は特に限定されるものではない。
【発明の効果】
【００１５】
上記構成に示すように、本願発明に係る橋梁架設方法は、架設径間の橋軸方向両側に位置する１対の橋脚上に橋桁柱頭部をそれぞれ構築するとともに、この架設径間に橋桁径間部を架設して、この橋桁径間部と１対の橋桁柱頭部との間に橋軸方向のプレストレスを導入するようになっているが、その際、橋桁径間部の構造を、Ｕ形断面を有するプレキャスト桁からなる複数の主桁が橋軸直交方向に所定間隔をおいて配置されるとともにこれら複数の主桁の上面に上床版が構築されてなる多主桁構造に設定しておき、そして、１対の橋桁柱頭部に架設径間を跨ぐ架設用ガーダを設置した後、この架設用ガーダにより、架設径間において、複数のプレキャスト桁のうちの１本を、該プレキャスト桁における橋軸方向両端面の近傍部位を吊り支持した状態で、１対の橋桁柱頭部の高さまで吊り上げて橋軸直交方向の所定位置にセットし、この状態で、このプレキャスト桁と１対の橋桁柱頭部との間の隙間に目地コンクリートを打設した後、このプレキャスト桁と１対の橋桁柱頭部との間に橋軸方向のプレストレスを導入し、これを繰り返すことにより複数のプレキャスト桁の架設を行い、その後、これら各プレキャスト桁の上端部およびこれら各プレキャスト桁の上端部相互間に複数のプレキャスト板を敷設してから、これら複数のプレキャスト桁およびプレキャスト板の上に床版コンクリートを打設することにより、上床版の構築を行うようになっているので、次のような作用効果を得ることができる。
【００１６】
すなわち、本願発明に係る橋梁架設方法においては、従来の場所打固定支保工工法に比して、部材の多くをプレキャスト化することができるので、現地作業を最小限に抑えることができ、これにより架設工期の短縮を図ることができる。
【００１７】
また、従来のスパンバイスパン工法においては、複数のプレキャストセグメントを、架設用ガーダの架設径間部分における橋軸方向の各位置で吊り支持するようになっているので、架設用ガーダに生じる曲げモーメントは非常に大きいものとなるが、本願発明においては、プレキャスト桁をその橋軸方向両端面の近傍部位において吊り支持するようになっているので、その吊り支持位置を架設用ガーダの支点近傍に設定することができ、したがって架設用ガーダに生じる曲げモーメントを非常に小さいものとすることができる。このため、架設用ガーダを簡易な構成としてその軽量化を図ることができ、これにより架設工費を抑えることができる。
【００１８】
しかも、本願発明に係る橋梁架設方法において、架設用ガーダにより吊り支持すべき対象は、Ｕ形断面を有するプレキャスト桁であり、箱桁断面を有する主桁に比してかなり軽量であるので、この点においても架設用ガーダの簡素化を図ることができる。
【００１９】
さらに、本願発明に係る橋梁架設方法においては、従来のスパンバイスパン工法において行われるプレキャストセグメント相互間の引き寄せおよび接合の作業が不要となるので、このスパンバイスパン工法に対しても架設工期の短縮を図ることができる。
【００２０】
このように本願発明によれば、多径間連続橋を架設する橋梁架設方法において、工期短縮および工費低減を図ることができる。
【００２１】
上記構成において、各橋桁柱頭部の構築を、複数のプレキャスト桁の橋軸方向端面の各々と対向すべき位置に、Ｕ形断面を有する複数のプレキャストセグメントを各々設置するとともに、これら複数のプレキャストセグメントに跨るようにして横桁部および床版部を構成する柱頭部コンクリートを打設することにより行うようにすれば、プレキャスト化された部材をより多く用いることができ、これにより架設工期のさらなる短縮を図ることができる。
【００２２】
上記構成において、架設径間に設置する架設用ガーダは１基であってよいことはもちろんであるが、架設径間に架設用ガーダを複数基設置するようにすれば、複数のプレキャスト桁の吊り上げおよびセッティングを一層効率良く行うことができ、これにより架設工期を一層短縮することができる。特に、主桁の本数が多い場合には、このような構成を採用することが効果的である。
【発明を実施するための最良の形態】
【００２３】
以下、図面を用いて、本願発明の実施の形態について説明する。
【００２４】
図１は、本願発明の一実施形態に係る橋梁架設方法の概要を示す工程図であって、架設途中の多径間連続橋１０を橋軸直交方向から見て示す側面図である。また、図２は、この架設途中の多径間連続橋１０を示す斜視図である。さらに、図３は、図２のIII-III 線断面図である。
【００２５】
これらの図に示すように、本実施形態に係る橋梁架設方法においては、架設径間の橋軸方向両側に位置する１対の橋脚１４上に橋桁柱頭部１２Ａをそれぞれ構築するとともに、この架設径間に橋桁径間部１２Ｂを架設して、この橋桁径間部１２Ｂと１対の橋桁柱頭部１２Ａとの間に橋軸方向のプレストレスを導入し、これを複数の径間に対して順次繰り返すことにより多径間連続橋１０を架設するようになっている。
【００２６】
その際、橋桁径間部１２Ｂの構造を、Ｕ形断面を有するプレキャスト桁２２からなる４本の主桁が橋軸直交方向に所定間隔をおいて配置されるとともに、これら４本の主桁の上面に上床版１６が構築されてなる、多主桁構造に設定しておく。
【００２７】
そして、１対の橋桁柱頭部１２Ａ上に架設径間を跨ぐ架設用ガーダ１１０を設置した後、この架設用ガーダ１１０により架設径間において４本のプレキャスト桁２２のうちの１本を、該プレキャスト桁２２における橋軸方向両端面の近傍部位を吊り支持した状態で、１対の橋桁柱頭部１２Ａの高さまで吊り上げて橋軸直交方向の所定位置にセットし、この状態で、このプレキャスト桁２２と１対の橋桁柱頭部１２Ａとの間の隙間に目地コンクリートＣ３を打設した後、このプレキャスト桁２２と１対の橋桁柱頭部１２Ａとの間に橋軸方向のプレストレスを導入し、これを繰り返すことにより４本のプレキャスト桁２２の架設を行う。その際、本実施形態においては、架設径間に２基の架設用ガーダ１１０を設置し、これら各架設用ガーダ１１０により、４本のプレキャスト桁２２を２本ずつ２組に分けて、その吊り上げおよびセッティングを行う。
【００２８】
その後、これら各プレキャスト桁２２の上端部およびこれら各プレキャスト桁２２の上端部相互間に複数のプレキャスト板２４を敷設してから、これら４本のプレキャスト桁２２およびプレキャスト板２４の上に床版コンクリートＣ１を打設することにより、上床版１６の構築を行う。
【００２９】
本実施形態においては、上述したように架設径間に架設用ガーダ１１０を２基設置するようになっているが、これら各架設用ガーダ１１０は、４本のプレキャスト桁２２のうち、橋軸直交方向外側に位置する１対のプレキャスト桁２２の各々の架設予定位置の真上に設置する。これら各架設用ガーダ１１０の設置は、１つ前の架設済み径間に設置された架設用ガーダ１１０を、クレーン（図示せず）でトレーラ（図示せず）上に吊り下ろして、このトレーラで架設径間まで移動させ、クレーンで再度吊り上げることにより行う。
【００３０】
これら各架設用ガーダ１１０の設置に先立って、各橋桁柱頭部１２Ａの上面に、橋軸直交方向に延びるガイドレール１１２を設置するとともに、これら各ガイドレール１１２上に、各架設用ガーダ１１０を橋軸直交方向に移動させるための横移動装置１１４をそれぞれ設置しておく。そして、１対の橋桁柱頭部１２Ａの各々にガイドレール１１２を介して設置された各１対の横移動装置１１４に、各架設用ガーダ１１０をそれぞれ設置する。これにより、各架設用ガーダ１１０において最初に吊り上げたプレキャスト桁２２を、橋軸直交方向内側に位置するプレキャスト桁２２の架設予定位置まで横移動させるようにする。なお、２番目に吊り上げたプレキャスト桁２２は、その吊り上げた位置がプレキャスト桁２２の架設予定位置となるので、横移動は不要である。
【００３１】
これら各架設用ガーダ１１０には、その架設径間の橋軸方向端部に位置するようにして１対の吊上げ装置１１６を取り付けておく。そしてこれにより、各プレキャスト桁２２の吊り上げを、該プレキャスト桁２２における橋軸方向両端面の近傍部位を１対の吊上げ装置１１６で吊り支持した状態で行うようにする。
【００３２】
各橋桁柱頭部１２Ａの構築は、架設位置にある４本のプレキャスト桁２２の橋軸方向端面の各々と対向すべき位置に、Ｕ形断面を有する４個のプレキャストセグメント３２を各々設置するとともに、これら４個のプレキャストセグメント３２に跨るようにして横桁部１６ａおよび床版部１６ｂを構成する柱頭部コンクリートＣ２を打設することにより行う。
【００３３】
これら各プレキャストセグメント３２の設置は、橋脚１４上に設置された４つの支承３４の各々を介して行う。また、橋軸直交方向外側に位置するプレキャストセグメント３２と橋軸直交方向内側に位置するプレキャストセグメント３２との間に位置する横桁部１６ａと橋脚１４との間には、弾性支承３６をそれぞれ設置しておく。その際、各プレキャストセグメント３２の設置は、トラッククレーン（図示せず）を用いて行い、各支承３４および各弾性支承３６の設置は、クレーン（図示せず）を用いて行う。
【００３４】
本実施形態においては、各プレキャスト桁２２として、２００〜２５０ｔ程度の重量を有し、３０〜４０ｍ程度の長さを有するものを用いる。これら各プレキャスト桁２２は、予め現場内の製作ヤードで製作しておく。これら各プレキャスト桁２２を製作する際、橋軸方向のプレストレスを予め導入しておき、そのＵ形断面形状を確実に維持し得るようにする。そして、このようにして製作された各プレキャスト桁２２を、大型特殊トレーラ１２０を用いて架設用ガーダ１１０の真下の位置まで搬送する。
【００３５】
その後、この架設用ガーダ１１０により吊り上げられて所定位置にセットされたプレキャスト桁２２と、その橋軸方向両側の１対の橋桁柱頭部１２Ａとの間に、橋軸方向のプレストレスを導入するのに先立ち、このプレキャスト桁２２と各橋桁柱頭部１２Ａとの間の隙間に目地コンクリートＣ３を打設しておく。
【００３６】
このプレキャスト桁２２とその橋軸方向両側の１対の橋桁柱頭部１２Ａとの間における橋軸方向のプレストレスの導入は、外ケーブル４２を緊張することにより行う。その際、内ケーブルも併用する。すなわち、プレキャスト桁２２における１対の上端部に複数の内ケーブル４４をそれぞれ設置し、これら各内ケーブル４４を緊張することにより、プレキャスト桁２２とその橋軸方向両側の各橋桁柱頭部１２Ａとの間に橋軸方向のプレストレスを導入する。
【００３７】
さらに、上床版１６の構築が完了した後に、連続外ケーブル４６を緊張することにより、プレキャスト桁２２とその橋軸方向両側の１対の橋桁柱頭部１２Ａとの間における橋軸方向のプレストレスの導入を再度行う。
【００３８】
また、上床版１６を構築する際における複数のプレキャスト板２４の敷設は、クレーン１２２を用いて行い、その後の床版コンクリートＣ１の打設は、張出し床版の型枠をセットし、上床版１６の全幅にわたって鉄筋を組み立てた状態で行う。そして、この床版コンクリートＣ１の養生を行った後に、上記連続外ケーブル４６を用いたプレストレスの導入を行う。
【００３９】
以上詳述したように、本実施形態に係る橋梁架設方法は、架設径間の橋軸方向両側に位置する１対の橋脚１４上に橋桁柱頭部１２Ａをそれぞれ構築するとともに、この架設径間に橋桁径間部１２Ｂを架設して、この橋桁径間部１２Ｂと１対の橋桁柱頭部１２Ａとの間に橋軸方向のプレストレスを導入するようになっているが、その際、橋桁径間部１２Ｂの構造を、Ｕ形断面を有するプレキャスト桁２２からなる４本の主桁が橋軸直交方向に所定間隔をおいて配置されるとともに、これら４本の主桁の上面に上床版１６が構築されてなる、多主桁構造に設定しておき、そして、１対の橋桁柱頭部１２Ａ上に架設径間を跨ぐ架設用ガーダ１１０を設置した後、この架設用ガーダ１１０により、架設径間において、４本のプレキャスト桁２２のうちの１本を、該プレキャスト桁２２における橋軸方向両端面の近傍部位を吊り支持した状態で、１対の橋桁柱頭部１２Ａの高さまで吊り上げて橋軸直交方向の所定位置にセットし、この状態で、このプレキャスト桁２２と１対の橋桁柱頭部１２Ａとの間の隙間に目地コンクリートＣ３を打設した後、このプレキャスト桁２２と１対の橋桁柱頭部１２Ａとの間に橋軸方向のプレストレスを導入し、これを繰り返すことにより４本のプレキャスト桁２２の架設を行い、その後、これら各プレキャスト桁２２の上端部およびこれら各プレキャスト桁２２の上端部相互間に複数のプレキャスト板２４を敷設してから、これら４本のプレキャスト桁２２およびプレキャスト板２４の上に床版コンクリートＣ１を打設することにより、上床版１６の構築を行うようになっているので、次のような作用効果を得ることができる。
【００４０】
すなわち、本実施形態に係る橋梁架設方法においては、従来の場所打固定支保工工法に比して、部材の多くをプレキャスト化することができるので、現地作業を最小限に抑えることができ、これにより架設工期の短縮を図ることができる。
【００４１】
また、従来のスパンバイスパン工法においては、複数のプレキャストセグメントを、架設用ガーダの架設径間部分における橋軸方向の各位置で吊り支持するようになっているので、架設用ガーダに生じる曲げモーメントは非常に大きいものとなるが、本実施形態においては、プレキャスト桁２２をその橋軸方向両端面の近傍部位において吊り支持するようになっているので、その吊り支持位置を架設用ガーダ１１０の支点近傍に設定することができ、したがって架設用ガーダ１１０に生じる曲げモーメントを非常に小さいものとすることができる。このため、架設用ガーダ１１０を簡易な構成としてその軽量化を図ることができ、これにより架設工費を抑えることができる。
【００４２】
しかも、本実施形態に係る橋梁架設方法において、架設用ガーダ１１０により吊り支持すべき対象は、Ｕ形断面を有するプレキャスト桁２２であり、箱桁断面を有する主桁に比してかなり軽量であるので、この点においても架設用ガーダ１１０の簡素化を図ることができる。
【００４３】
さらに、本実施形態に係る橋梁架設方法においては、従来のスパンバイスパン工法において行われるプレキャストセグメント相互間の引き寄せおよび接合の作業が不要となるので、このスパンバイスパン工法に対しても架設工期の短縮を図ることができる。
【００４４】
また本実施形態に係る橋梁架設方法においては、架設用ガーダ１１０が軽量であることから、その設置をクレーン等を用いて行うことができ、この点においても架設工費を抑えることができる。
【００４５】
このように本実施形態によれば、多径間連続橋１０を架設する橋梁架設方法において、工期短縮および工費低減を図ることができる。
【００４６】
しかも本実施形態においては、各橋桁柱頭部１２Ａの構築を、複数のプレキャスト桁２２の橋軸方向端面の各々と対向すべき位置に、Ｕ形断面を有する複数のプレキャストセグメント３２を各々設置するとともに、これら４本のプレキャストセグメント３２に跨るようにして横桁部１６ａおよび床版部１６ｂを構成する柱頭部コンクリートＣ２を打設することにより行うようになっているので、プレキャスト化された部材をより多く用いることができ、これにより架設工期のさらなる短縮を図ることができる。
【００４７】
さらに本実施形態においては、架設径間に架設用ガーダ１１０を２基設置するようになっているので、４本のプレキャスト桁２２の吊り上げおよびセッティングを一層効率良く行うことができ、これにより架設工期を一層短縮することができる。
【００４８】
ところで、上記実施形態においては、架設対象となる多径間連続橋１０が、その各径間に架設される橋桁１２として４本のプレキャスト桁２２を備えた構成となっているものとして説明したが、２本または３本のプレキャスト桁２２を備えた構成となっている場合、あるいは５本以上のプレキャスト桁２２を備えた構成となっている場合においても、上記実施形態と同様の架設方法を採用することにより上記実施形態と同様の作用効果を得ることができる。
【００４９】
また、上記実施形態においては、各架設用ガーダ１１０の設置をクレーン等を用いて行うものとして説明したが、このようにする代わりに、各架設用ガーダ１１０に手延桁を接続しておき、これらを橋軸方向に移動させることにより、次の架設径間に設置することも可能である。
【００５０】
なお、上記実施形態において諸元として示した数値は一例にすぎず、これらを適宜異なる値に設定してもよいことはもちろんである。
【図面の簡単な説明】
【００５１】
【図１】本願発明の一実施形態に係る橋梁架設方法の概要を示す工程図であって、架設途中の多径間連続橋を橋軸直交方向から見て示す側面図
【図２】上記架設途中の多径間連続橋を示す斜視図
【図３】図２のIII-III 線断面図
【図４】従来例を示す、図１と略同様の図
【符号の説明】
【００５２】
１０  多径間連続橋
１２Ａ  橋桁柱頭部
１２Ｂ  橋桁径間部
１４  橋脚
１６  上床版
１６ａ  横桁部
１６ｂ  床版部
２２  プレキャスト桁（主桁）
２４  プレキャスト板
３２  プレキャストセグメント
３４  支承
３６  弾性支承
４２  外ケーブル
４４  内ケーブル
４６  連続外ケーブル
１１０  架設用ガーダ
１１２  ガイドレール
１１４  横移動装置
１１６  吊上げ装置
１２０  大型特殊トレーラ
１２２  クレーン
Ｃ１  床版コンクリート
Ｃ２  柱頭部コンクリート
Ｃ３  目地コンクリート
【図１】
0004777319.tif 000002
【図２】
0004777319.tif 000003
【図３】
0004777319.tif 000004
【図４】
0004777319.tif 000005